(57)【特許請求の範囲】
【請求項１】
少なくとも、右音声用チャンネル、左音声用チャンネル、ＧＮＤ用チャンネル、マイク用チャンネルを有するフォーンジャックを備えた電子機器の管理システムであって、
前記フォーンジャックに挿入されるフォーンプラグを備え、かつ、認証用セキュアキーを記録した集積回路を搭載したドングル装置と、前記電子機器にインストールされ該ドングル装置に記録された認証用セキュアキーの認証を行い認証が確立することで前記電子機器の特定の機能制限または機能制限解除を行う管理プログラムとからなり、
前記フォーンジャックに前記フォーンプラグを挿入することで前記電子機器に接続された前記ドングル装置は、フォーンジャックから入力された右左いずれか一方の音声用チャンネルの音声出力用信号をコッククロフト・ウォルトン回路で昇圧し電力として利用して前記集積回路を機能させ、
電子機器とドングル装置との間では他方の音声用チャンネルおよびマイク用チャンネルを用いてデータ交換が行われる、ことを特徴とするフォーンジャックを備えた電子機器の管理システム。
【請求項２】
該ドングル装置が前記電子機器に接続されて認証用セキュアキーの認証が確立する度に、前記管理プログラムがドングル装置と前記電子機器とをペアリングするための認証用セキュアキーの書き換えを行う、ことを特徴とする請求項１に記載のフォーンジャックを備えた電子機器の管理システム。
【請求項３】
前記管理プログラムによる前記電子機器の特定の機能制限または機能制限解除の範囲は、接続されるドングル装置に記録された認証用セキュアキーの種別によって変更される、ことを特徴とする請求項１又は２に記載のフォーンジャックを備えた電子機器の管理システム。
【請求項４】
前記管理プログラムは、前記ドングル装置が接続された状態のときに行われた電子機器の所定の操作についてのログを前記ドングル装置に記録する、ことを特徴とする請求項１、２又は３に記載のフォーンジャックを備えた電子機器の管理システム。
【請求項５】
少なくとも、音声用チャンネル及びＧＮＤ用チャンネルを有する電子機器用のフォーンジャックに挿入されるフォーンプラグを備え、該フォーンジャックに該フォーンプラグを挿入することで前記電子機器に接続され、フォーンジャックから入力された右左いずれか一方の音声用チャンネルの音声出力用信号をコッククロフト・ウォルトン回路で昇圧し電力として利用して搭載した集積回路を機能させる、ことを特徴とするドングル装置。
【請求項６】
少なくとも、右音声用チャンネル、左音声用チャンネル、ＧＮＤ用チャンネル、マイク用チャンネルを有する電子機器のフォーンジャックに挿入されるフォーンプラグを備え、前記フォーンジャックに前記フォーンプラグを挿入することで前記電子機器に接続され、フォーンジャックから入力された右左いずれか一方の音声用チャンネルの音声出力用信号をコッククロフト・ウォルトン回路で昇圧し電力として利用して搭載した集積回路を機能させ、電子機器とドングル装置との間では他方の音声用チャンネルおよびマイク用チャンネルを用いてデータ交換を行う、ことを特徴とするドングル装置。
【発明の詳細な説明】
【技術分野】
【０００１】
本発明はスマートホンや携帯電話、電子ゲーム機等の電子機器、特にフォーンジャックを備えた電子機器の管理システムおよびフォーンジャックに接続するドングル装置に関するものである。
【背景技術】
【０００２】
スマートホンや携帯電話、タブレット端末、電子ゲーム機等の電子機器（単に「スマートデバイス」と呼ぶ。）には、本来の通話・通信・ゲーム機能の他にも、（インターネット接続機能、）写真撮影機能、動画撮影機能、音楽再生機能、録音機能、テレビ・ラジオ受信機能、ＧＰＳ機能、加速度検出機能、方位検出機能など多種多様な機能が搭載されており、今後さらに様々な機能が追加されることが予想される。このようなスマートデバイスは多種多様な機能が搭載されているにもかかわらず、技術の発達によりますます軽量化・薄型化・小型化する傾向にある。
【０００３】
近年、企業や官庁における機密情報などの情報漏えいが大きな社会問題となっている。情報漏えいの態様としては社員所有のスマートホン等の電子機器に記憶させた情報が故意又は過失により外部に漏れるケースや、隠し撮りなどの不正行為により機密情報が搾取されるケースなどがある。
【０００４】
そのため、社内への個人所有のスマートデバイスの持ち込みを禁止したり、社内の通話・通信用の電波を遮断して通信圏外とする措置を講じている企業等も多くなってきている。その一方で、スマートデバイスの各種機能を利用することで業務の効率化を図りたい実情も存在する。そのため一部企業等では社内でのみ使用するためのスマートデバイスを貸与し、貸与したスマートデバイスの社外への持ち出しを禁止することで機密情報などの情報漏えいを防いでいる。
【０００５】
ところでパーソナルコンピュータ等においては、ソフトウェアの不正コピー防止や不正コピーしたソフトウェアの使用を禁止するための「ドングル（dongle）」と呼ばれるハードウェアプロテクトキーが従来から使用されている。このドングルは、パーソナルコンピュータの入出力ポート（ＵＳＢポートなど）にコネクタを介して装着され、ドングルが同梱された特定のソフトウェアは、このドングルをパーソナルコンピュータに接続しないと使用することができず、このソフトウェアを他のコンピュータにインストールしてもドングルを接続しない限りそのソフトウェアが起動しないようになっている。
【０００６】
ドングルをスマートデバイスに適用した例としては下記特許文献１の「携帯用端末機のための多機能ドングル」などが発案されている。特許文献１に記載の発明は、端末機のスリム化に寄与しつつ、安全で円滑な金融取引サービスを利用可能とすることを目的としたものである。
【先行技術文献】
【特許文献】
【０００７】
【特許文献１】特願２００７−２８２２４１号公報
【発明の概要】
【発明が解決しようとする課題】
【０００８】
これまで本発明者は個人所有のスマートデバイスや会社から貸与したスマートデバイスからの情報漏えいを効果的に防ぐべく、スマートデバイスの特定の機能の制限や制限の解除（インストールされたソフトウェアの使用許可や使用禁止を含む）を上記特許文献１と同様にドングルを用いて行うことで実現しようと開発を進めてきた。
【０００９】
上述のような今までのドングルのスマートデバイスへの接続はmicro ＵＳＢポートなどを利用して行われていたが、micro ＵＳＢポートは充電やデータ転送など他の用途のために空けておきたいことも多い。そのため本発明者はフォーンジャックを利用してドングルとスマートデバイスとの間のデータ交換を行うことを行うことを検討した。
【００１０】
ここでドングルを機能させるための電力の供給をどこから行うかが問題となった（プラグインパワーに対応したフォーンジャックも存在するがスマートデバイスにおいてはほとんど採用されていない）。もちろんボタン電池をドングルに内蔵してやれば電力は容易に確保できるが、ドングルの小型化や低廉化の障害となるばかりでなく、ボタン電池が消耗してしまった場合にはドングルが機能せずスマートデバイスの適切な使用、すなわちスマートデバイスの特定の機能の制限や制限の解除を管理することができないといった問題があった。
【００１１】
本発明は上記課題を解決するためになされたもので、フォーンジャックに接続したドングル装置への電力の供給を電子機器側から行ってやること、電子機器の適切な使用を図るべくドングル装置と電子機器とのデータ交換をフォーンジャックを介して行うことを目的とするものである。
【課題を解決するための手段】
【００１２】
上記目的を達成するため請求項１に記載の本発明は、少なくとも、右音声用チャンネル、左音声用チャンネル、ＧＮＤ用チャンネル、マイク用チャンネルを有するフォーンジャックを備えた電子機器の管理システムであって、
前記フォーンジャックに挿入されるフォーンプラグを備え、かつ、認証用セキュアキーを記録した集積回路を搭載したドングル装置と、前記電子機器にインストールされ該ドングル装置に記録された認証用セキュアキーの認証を行い認証が確立することで前記電子機器の特定の機能制限または機能制限解除を行う管理プログラムとからなり、
前記フォーンジャックに前記フォーンプラグを挿入することで前記電子機器に接続された前記ドングル装置は、フォーンジャックから入力された右左いずれか一方の音声用チャンネルの音声出力用信号をコッククロフト・ウォルトン回路で昇圧し電力として利用して前記集積回路を機能させ、
電子機器とドングル装置との間では他方の音声用チャンネルおよびマイク用チャンネルを用いてデータ交換が行われる、ことを特徴とする。
【００１３】
ここで、該ドングル装置が前記電子機器に接続されて認証用セキュアキーの認証が確立する度に、前記管理プログラムがドングル装置と前記電子機器とをペアリングするための認証用セキュアキーの書き換えを行う、ことが好ましい。
【００１４】
また、前記管理プログラムによる前記電子機器の特定の機能限または機能制限解除の範囲は、接続されるドングル装置に記録された認証用セキュアキーの種別によって変更される、ようにしてやってもよい。
【００１５】
さらに、前記管理プログラムは、前記ドングル装置が接続された状態のときに行われた電子機器の所定の操作についてのログを前記ドングル装置に記録する、ことも好ましい。
【００１６】
また本発明のドングル装置は、少なくとも、１つの音声用チャンネル及びＧＮＤ用チャンネルを有する電子機器用のフォーンジャックに挿入されるフォーンプラグを備え、該フォーンジャックに該フォーンプラグを挿入することで前記電子機器に接続され、フォーンジャックから入力された音声用チャンネルの音声出力用信号をコッククロフト・ウォルトン回路で昇圧し電力として利用して搭載した集積回路を機能させる、ことを特徴とする。
【００１７】
または本発明のドングル装置は、少なくとも、右音声用チャンネル、左音声用チャンネル、ＧＮＤ用チャンネル、マイク用チャンネルを有する電子機器のフォーンジャックに挿入されるフォーンプラグを備え、前記フォーンジャックに前記フォーンプラグを挿入することで前記電子機器に接続され、フォーンジャックから入力された右左いずれか一方の音声用チャンネルの音声出力用信号を昇圧回路（コッククロフト・ウォルトン回路）で昇圧し電力として利用して搭載した集積回路を機能させ、電子機器とドングル装置との間では他方の音声用チャンネルおよびマイク用チャンネルを用いてデータ交換を行う、ことを特徴とする。
【発明の効果】
【００１８】
本発明では、右音声用チャンネル、左音声用チャンネル、ＧＮＤ用チャンネル、マイク用チャンネルの少なくとも４極のフォーンジャックを備えた電子機器に、これに対応したフォーンプラグを備えたドングル装置を挿入して接続した場合に、ドングル装置への電力の供給を一方の音声用チャンネルに出力した音声出力用信号を利用して行うことで、ドングル装置自体に電池を搭載することを不要としている。、これによりドングル装置の小型化や低廉化を図り、また、ボタン電池の消耗の問題もなくすことができる。さらにドングル装置と電子機器とのデータ交換を他方の音声用チャンネル（下り）およびマイク用チャンネル（上り）を通じて行うことで、micro ＵＳＢポートを塞ぐことなく既存のフォーンジャックをそのまま利用した低廉に実現可能な構成によってドングル装置と電子機器との間でデータ交換を行うことを可能としている。なおこの発明ではドングル装置と電子機器との間でデータ交換により認証が確立された後には、電子機器にインストールした管理プログラムが電子機器の特定の機能の制限や制限の解除を管理することにより電子機器からの情報漏えい等が防がれることになる。
【００１９】
ここで、ドングル装置と電子機器とをペアリングするための認証用セキュアキーをその認証が確立する度に、前記管理プログラムがドングル装置と前記電子機器とをペアリングするための認証用セキュアキーの書き換えを行うことで、電子機器を使用する上での安全性をより一層高めてやることができる。
【００２０】
また、接続されたドングル装置に記録された証用セキュアキーの種別によって電子機器の特定の機能限または機能制限解除の範囲が変更されるようにしてやれば、たとえば共通・共用で電子機器を利用する場合においても、使用者に応じて電子機器の各種機能の使用の可否を個別に変更してやることができる。その他にも社内用のドングル装置と社外用のドングル装置とを使い分け、いずれかのドングル装置の挿入無しでは電子機器が使用できないようにした上で、各ドングル装置に応じて電子機器の各種機能の使用の可否を管理してやることもできる。
【００２１】
さらに、ドングル装置が接続状態のときに行われた電子機器の所定の操作についてのログをドングル装置に記録するようにしてやれば、ドングル装置のみを回収して管理することで不正行為の発生の有無等を監視することができる。
【００２２】
また本発明では、電子機器のフォーンプラグ（２極以上）に接続されたドングル装置の電力を音声出力用信号を利用して確保することで、ドングル装置自体に電池を搭載することなく、またフォーンプラグに電力ラインがない場合であってもプラグインパワーと同様にドングル装置に給電してやることができる。
【００２３】
または本発明では、電子機器のフォーンプラグ（４極以上）に接続されたドングル装置の電力をステレオ音声の左右いずれか一方の音声用チャンネルを通じて音声出力用信号を利用して確保するとともに、マイク用チャンネルと他方の音声用チャンネルを利用することで電子機器とドングル装置との間のデータ交換が可能となり、これにより電子機器のより高度な管理が可能となる。
【図面の簡単な説明】
【００２４】
【図１】スマートデバイスにドングル装置を取り付けた様子を示した図である。
【図２】本実施例のドングル装置の基板回路図である。
【図３】スマートデバイスとドングル装置における認証用セキュアキーの処理フローを示した図である。
【発明を実施するための形態】
【００２５】
本発明は、例えば企業や官庁において、スマートデバイスの特定の機能の使用の可否を管理することにより、スマートデバイスを業務に活用しつつ、スマートデバイスからの情報漏えいなどを有効に防止するための電子機器の管理システムおよびドングル装置である。ここで本発明では、特にスマートデバイスをドングル装置のフォーンジャックに取り付けて用いる点をひとつの特徴としている。
以下、電子機器の管理システムに用いられるドングル装置自体の構成についてまず説明した後、このドングル装置を用いた管理システムについて説明する。
【００２６】
なお以下に説明する実施例では、スマートデバイスのほとんどの機種においては１極がＧＮＤ用チャンネル、２極がステレオ音声用（ヘッドフォン用）チャンネル、１極がマイク（リモコン）用チャンネルの４極のフォーンジャックが採用されているため、この４極のフォーンジャックに接続される４極のフォーンプラグを用いている。もちろん５極以上のフォーンジャックを採用した電子機器にも本発明を応用することは可能であるがその説明は省略する。
【実施例】
【００２７】
［ドングル装置の構成］
図１に示したドングル装置１０はフォーンジャック２を備えた電子機器、特に、スマートホンや携帯電話、タブレット端末、電子ゲーム機等の持ち運び可能なスマートデバイス１、すなわちその電子機器が使用される場所が容易に変化する電子機器に主として適用され、電子機器のフォーンジャック２に対応した４極のフォーンプラグ１２を有している。
【００２８】
なお４極フォーンプラグの規格には主にＣＴＩＡ規格(左、右、マイク、ＧＮＤの順)とＯＭＴＰ規格(左、右、ＧＮＤ、マイクの順) の２種類が存在しているが、近年(２０１２年以降)ではＣＴＩＡ規格がデファクトスタンダードとなっているため、本実施例のフォーンプラグ１２にもＣＴＩＡ規格のものが用いられている。
【００２９】
ドングル装置１０の基板回路図である図２に示したように、フォーンプラグ１２の各チャンネルはインターフェース基板１４を介して取り出され、集積回路１６（ＩＣ：マイコンチップ）の各ポートまで導かれている。具体的には右音声用チャンネル１８では右音声出力用信号がスマートデバイス１からドングル装置１０に入力され、ＧＮＤ用チャンネル２２とにより電源回路が構成されている。ここでこの電源回路にはコッククロフト・ウォルトン回路が用いられている。これはフォーンプラグ１２に接続されたインターフェース基板１４から伸びる右音声用チャンネル１８およびＧＮＤ用チャンネル２２を流れる電流である右音声出力用信号（後述）は、１．６Ｖ程度の電圧を有するものであるが、集積回路１６を駆動させるためには一般に３Ｖ程度の電圧が必要となるため、本実施例では右音声出力用信号をコッククロフト・ウォルトン回路により３Ｖ程度にまで昇圧して用いている。なおコッククロフト・ウォルトン回はコンデンサとダイオードだけからなり、スイッチングなしで動作する昇圧回路である。
【００３０】
昇圧された右音声出力用信号は右音声用チャンネル１８を通じて認証用セキュアキーが記録されたドングル装置１０の集積回路１６の電源端子（Ｖｃｃ）に入力され、またＧＮＤ用チャンネル２２はドングル装置１０の集積回路１６の電源端子（ＧＮＤ）に接続されている。
【００３１】
一方、左音声用チャンネル２４ではスマートデバイス１からドングル装置１０にデータが送信されて入力される。すなわちフォーンプラグ１２に接続されたインターフェース基板１４から伸びる左音声用チャンネル２４（およびＧＮＤ用チャンネル２２）は、スマートデバイス１からドングル装置１０へのデータ送信に利用されており、ドングル装置１０の集積回路１６のデータ入力端子（ＰＢ０）に接続されている。
【００３２】
またフォーンプラグ１２に接続されたインターフェース基板１４から伸びるマイク用チャンネル２６は、集積回路１６のデータ出力端子（ＰＢ１）に接続されており、スマートデバイス１へドングル装置１０からデータが送信されて入力される。すなわちフォーンプラグ１２に接続されたインターフェース基板１４からドングル装置１０の集積回路１６のデータ出力端子へ伸びるマイク用チャンネル２６（およびＧＮＤ用チャンネル２２）は、ドングル装置１０からスマートデバイス１へのデータ送信に利用されている。なおこのデータにはドングル装置１０のメモリに記録された認証用セキュアキーが含まれている。
【００３３】
さらに集積回路１６の出力端子（ＰＢ２）には認証用セキュアキーによる認証が確立した場合に点灯することになる緑色ＬＥＤ２８（発光ダイオード）が、出力端子（ＰＢ３）には電力が供給されている場合に点灯しまた認証が確立しない場合に点滅する赤色ＬＥＤ３２が接続されている。なおその他の集積回路１６の端子（ＰＢ４、ＰＢ５）は本実施例では特に利用されていない（Ｎ．Ｃ．）が、例えばスマートデバイス１の機能制限の状態などを示すために他の色の発光ダイオードを点灯させるためなどに利用してやることももちろん可能である。
【００３４】
［スマートデバイス１の管理プログラムの構成］
スマートデバイス１には予め管理プログラムがインストールされており、この管理プログラムがバックグラウンドで常に待機状態で起動している。
管理プログラムによる主な情報処理には次のものがある。
１．ドングル装置１０に記録された認証用セキュアキーを読み出して照合を行う。
２．ドングル装置１０に記録された認証用セキュアキーの認証が確立した場合に新たな認証用セキュアキーをドングル装置１０に書き込む。
３．認証用セキュアキーの認証の確立によりスマートデバイス１の特定の機能制限または機能制限解除を行う。ここで、認証用セキュアキーに種別を設け、認証が確立した認証用セキュアキーの種別によって機能制限または機能制限解除を行う範囲を変更するようにしてやってもよい。例えば、管理職レベルの認証用セキュアキーでは１０ｋバイト以上のデータの保存とデータ送信が制限され、一般社員レベルの認証用セキュアキーでは１ｋバイト以上のデータの保存とデータ送信やイントラネット以外の外部ネットワークへの接続が制限され、来訪者レベルの認証用セキュアキーではデータの保存や内外ネットワークへの接続カメラ機能、電話機能が制限されるようにしてやってもよい。
４．ドングル装置１０が接続された状態のときに行われたスマートデバイス１の所定の操作についてのログをドングル装置１０に記録する。
【００３５】
なお管理プログラムによる認証用セキュアキーの認証の確立により、どのようなシーンでどのようにスマートデバイス１の特定の機能制限または機能制限解除を行うかについての具体的な制御形態は今後の検討課題である。本発明はスマートデバイス１のフォーンジャック２から出力される音声出力用信号を利用してドングル装置１０に給電してドングル装置１０を機能させるものである。特にステレオ音声でマイク入力も備えた４極（以上）のフォーンジャック２を備えたスマートデバイス１にあっては、片方の音声出力用チャンネルとＧＮＤ用チャンネル２２を電力供給用に、もう片方の音声出力用チャンネルをスマートデバイス１からドングル装置１０へのデータ送信用に、マイク用チャンネル２６をドングル装置１０からスマートデバイス１へのデータ送信用に用いることに本発明の本質が存在する。
【００３６】
次に図３に基づいてスマートデバイス１とドングル装置１０における認証用セキュアキーの処理フロー等について説明する。
バックルラウンドで管理プログラムが待機状態で起動しているスマートデバイス１のフォーンジャック２に、ドングル装置１０のフォーンプラグ１２が挿入されたことが検出されると、管理プログラムは右音声用チャンネル１８に最大音量で所定の右音声出力用信号（トーン音）を送出する。右音声出力用信号が入力されたドングル装置１０はこれを昇圧回路によって適正電圧まで昇圧し、これを電源として集積回路１６を起動する。そして電力が供給されていることを示す赤色ＬＥＤ（発光ダイオード）を点灯させる。
【００３７】
右音声出力用信号を送出した後にはスマートデバイス側では認証用セキュアキーとなるハッシュ値（１次）が既に保存されているか否かの確認を行う。
保存されたハッシュ値が確認されない場合には、ＩＭＥＩ（International Mobile Equipment Identifier：国際移動体装置識別番号）を元にハッシュ値（０次）を取得しこれを初期値として左音声用チャンネル２４を通じてドングル装置１０に送信する。
【００３８】
これと並行してドングル装置側でも認証用セキュアキーとなるハッシュ値が既に保存されているか否かの確認を行い、保存されたハッシュ値が確認されない場合には、スマートデバイス側から送信されてきたハッシュ値（０次）をもとにハッシュ関数処理により新たな認証用セキュアキーとなるハッシュ値（１次）を算出する。
【００３９】
そしてスマートデバイス側およびドングル装置側で保存されたハッシュ値（１次）が確認された場合、および、スマートデバイス側およびドングル装置側で新たなハッシュ値（１次）を算出した場合には、ドングル装置側からマイク用チャンネル２６を通してハッシュ値（１次）がスマートデバイス側に送信される。スマートデバイス側ではお互いのハッシュ値（１次）の一致不一致を判断し、一致が確認された場合には待機状態の管理プログラムが本起動して画面に管理画面を表示してスマートデバイス１の各種機能のうち特定の機能制限または機能制限解除を行う。しかしハッシュ値（１次）の一致が確認されない場合には適正なドングル装置１０ではないと判断し右音声出力用信号（トーン音）の送出を停止し、管理プログラムが待機状態としてドングル装置１０のフォーンプラグ１２が再度挿入される挿入検出待ち状態へ遷移する。
【００４０】
スマートデバイス側でハッシュ値（１次）一致が確認され管理プログラムが本起動したあとにはハッシュ値（１次）をもとにハッシュ関数処理により新たな認証用セキュアキーとなるハッシュ値（２次）を算出しこれを左音声用チャンネル２４を通じてドングル装置１０に送信する。
【００４１】
またドングル装置側ではハッシュ値（１次）をもとにハッシュ関数処理により新たなハッシュ値（２次）を算出する。
【００４２】
そしてスマートデバイス側で算出したハッシュ値（２次）受信したドングル装置側では、受信したスマートデバイス側からのハッシュ値（２次）と、ドングル装置側で算出したハッシュ値（２次）との一致不一致の判断を行う。一致が確認された場合には、その旨を緑色ＬＥＤを点灯させて告知するとともにそのハッシュ値（２次）をドングル装置１０の集積回路１６内に保存して次回の認証のための認証用セキュアキーとする。また一致が確認された旨をマイク用チャンネル２６を通してスマートデバイス側へ送信し、スマートデバイス１はハッシュ値（２次）を保存する。一方、一致が確認されない場合には、その旨を赤色ＬＥＤを点滅させて告知するとともに認証の処理を停止する。
【００４３】
以上のような認証用セキュアキーの処理をスマートデバイス１のフォーンジャック２にドングル装置１０のフォーンプラグ１２が挿入される度に行うことで、ワンタイム毎に認証用セキュアキーを変更できるためドングル装置１０を用いたスマートデバイス１の管理の安全性・確実性を担保することができる。
【００４４】
また例えばスマートデバイス１を社内でドングル装置１０が接続された状態で特定の機能制限を付加しまたは機能制限を解除して使用を許可する場合などにおいて、管理プログラムがスマートデバイス１の所定の操作についてのログをドングル装置１０に記録するようにしてやれば、日々の出社時にドングル装置１０を渡し、退社時にドングル装置１０のみを回収してやるだけで、スマートデバイス１の機能の使用可否を管理するのみならず、使用の実態をも容易に把握して、不正行為の発生の有無等を監視することができる。
【００４５】
なお上記実施例では右音声用チャンネル１８が音声出力用信号（電源回路）として、左音声用チャンネル２４がスマートデバイス１からドングル装置１０へのデータ送信用として利用されているが、もちろん左右のチャンネルを入れ替えてやることも可能である。また単にフォーンジャック２から取り出した音声出力用信号を、増幅などの処理をすることで電力として利用するだけであってもよく、この場合にはフォーンジャック２および対応したフォーンプラグ１２は２極のもので足りることになる。
【００４６】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００４７】
１  スマートデバイス
２  フォーンジャック
１０  ドングル装置
１２フォーンプラグ
１４  インターフェース基板
１６  集積回路
１８  右音声用チャンネル
２２  ＧＮＤ用チャンネル
２４  左音声用チャンネル
２６  マイク用チャンネル
２８  緑色ＬＥＤ
３２  赤色ＬＥＤ
【要約】
【課題】ドングル装置への電力の供給や電子機器とのデータ交換をフォーンジャックを介して行う。
【解決手段】少なくとも４極フォーンジャックを備えた電子機器の管理システムであって、  前記フォーンジャックに挿入されるフォーンプラグを備え、かつ、認証用セキュアキーを記録した集積回路を搭載したドングル装置と、前記電子機器にインストールされ該ドングル装置に記録された認証用セキュアキーの認証により前記電子機器の特定の機能制限または機能制限解除を行う管理プログラムとからなり、前記電子機器に接続された前記ドングル装置は、右左いずれか一方の音声用チャンネルの音声出力用信号を電力として利用して前記集積回路を機能させ、電子機器とドングル装置との間では他方の音声用チャンネルおよびマイク用チャンネルを用いてデータ交換が行われる。
【選択図】図３【図１】
0005552191.tif 000002
【図２】
0005552191.tif 000003
【図３】
0005552191.tif 000004